(57)【要約】【課題】  マットの下面及び床面を汚すことなく、誰でも簡単に設置交換することのできる固定片付きマット及びその固定方法を提供する。【解決手段】  玄関マットなど下面がゴムシート又は塩化ビニール等の合成樹脂シートで形成され、床面等に固定するための固定片３を備えた固定片３付きマット１であって、前記マット１下面の一部に複数のフック状又は輪状を編製したパイル領域２を設けたマットと、前記パイル領域２と接合可能な幅サイズのシート状の固定片３とからなり、該固定片３は、一方の表面を、係合素子を垂直方向に突出して複数設け、前記パイル領域２に対して着脱自在に係合する係合面３ａとし、もう一方の表面を、ゲル状粘着物を着設して床面等に対して着脱自在に貼着する粘着面３ｂとする。【選択図】図３
2011101786.tif 000002
【特許請求の範囲】
【請求項１】
玄関マットなど下面が合成樹脂シートで形成され、床面等に固定するための固定片を備えた固定片付きマットであって、
前記マット下面の一部にパイル領域を設けたマットと、前記パイル領域と接合可能な幅サイズのシート状の固定片とからなり、
該固定片は、一方の表面が、係合素子を垂直方向に突出して複数設け、前記パイル領域に対して着脱自在に係合する係合面であり、もう一方の表面が、ゲル状粘着物を着設して床面等に対して着脱自在に貼着する粘着面であることを特徴とする固定片付きマット。
【請求項２】
玄関マットなど下面が合成樹脂シートで形成され、床面等に固定するための固定片を備えた固定片付きマットの固定方法であって、
前記固定片の粘着面を床面等に貼着して固定片を床面等に固定した後、前記マットの下面に設けたパイル領域を前記固定片の固定位置に重ねるようにして前記マットを床面等に載置するとともに、前記マットに設けたパイル領域を前記固定片の係合面に係合して、前記マットを床面等に固定することを特徴とする固定片付きマットの固定方法。
【請求項３】
前記請求項１に記載のパイル領域を形成したマットの製造方法であって、
プレス機の上部プレス板及び下部プレス板間に、前記マットの下面と、前記パイル領域を形成するために複数のフック状又は輪状を編製したパイル面を有するシート材とを、熱溶融性シート材を介し、該パイル面を露出させた状態で重ね合せて載置するとともに、上部プレス板及び下部プレス板の加熱及び加圧によってマット下面に前記シート材を溶着させ、前記マット下面にパイル領域を形成することを特徴とするマットの製造方法。
【発明の詳細な説明】
【技術分野】
【０００１】
本発明は、固定用シート付きの玄関マット等のマット及びその固定方法並びに該マットの製造方法に関する。
【背景技術】
【０００２】
従来、コンビニエンスストア等の床面に設置される玄関マット等のマットは、レンタルマット業者が新マットと交換する際に、マットの周縁に両面テープを貼り付けて床面に接着していた。そんな中、以下の従来技術が提供されている。
【０００３】
玄関マットのゴムシートの下面の一部にテープ粘着部とする平滑面を形成した玄関マットと、両面テープの少なくとも床面側粘着面を再剥離性粘着層に形成して玄関マットを床面に対して着脱自在にする固定用テープとから構成することにより、床面に対する十分な固定機能を有してマット本体の位置ずれを防止することができ、新マットの取替え及び新マットの設置作業が簡単に行うことができる玄関マット及び固定用テープが提供されている（特許文献１）。
【先行技術文献】
【特許文献】
【０００４】
【特許文献１】特開平１１−２９０１９５号公報
【発明の概要】
【発明が解決しようとする課題】
【０００５】
しかしながら、従来の両面テープを使用してマットを固定した場合、マットを床面から剥離しようとすると、両面テープの接着剤が床面やマットの下面に付着してしまい、マットの交換する際その除去作業が非常に面倒なものとなっていた。また、コンビニエンスストア等においては、近年、専門の清掃業者ではなく従業員自らが床面の清掃を行う傾向にあり、清掃作業が専門ではない従業員であっても容易にマットを取外しできることが要求されている。
【０００６】
また、特許文献１に記載の技術では、固定用テープが平滑面以外の凹凸面に位置ずれを起こした場合に、固定用テープの粘着層が該凹凸面に沈み込んで玄関マットからの剥離を困難にしたり、固定用テープの粘着剤が凹凸面に残ったりするという問題があった。
【０００７】
そこで、本発明は、マットの下面及び床面を汚すことなく、誰でも簡単に設置交換することのできる固定片付きマット及びその固定方法並びに該マットの製造方法を提供することを課題とした。
【課題を解決するための手段】
【０００８】
上記課題を解決するために、本発明は次のように構成した。すなわち、本発明に係る請求項１に記載の発明は、玄関マットなど下面がゴムシート又は塩化ビニール等の合成樹脂シートで形成され、床面等に固定するための固定片を備えた固定片付きマットであって、前記マット下面の一部にパイル領域を設けたマットと、前記パイル領域と接合可能な幅サイズのシート状の固定片とからなり、該固定片は、一方の表面が、係合素子を垂直方向に突出して複数設け、前記パイル領域に対して着脱自在に係合する係合面であり、もう一方の表面が、ゲル状粘着物を着設して床面等に対して着脱自在に貼着する粘着面であることを特徴としている。
【０００９】
また、請求項２に記載の発明は、玄関マットなど下面がゴムシート又は塩化ビニール等の合成樹脂シートで形成され、床面等に固定するための固定片を備えた固定片付きマットの固定方法であって、前記固定片の粘着面を床面等に貼着して固定片を床面等に固定した後、前記マットの下面に設けたパイル領域を前記固定片の固定位置に重ねるようにして前記マットを床面等に載置するとともに、前記マットに設けたパイル領域を前記固定片の係合面に係合して、前記マットを床面等に固定することを特徴としている。
【００１０】
さらに、請求項３に記載の発明は、前記請求項１に記載のパイル領域を形成したマットの製造方法であって、プレス機の上部プレス板及び下部プレス板間に、前記マットの下面と、前記パイル領域を形成するために複数のフック状又は輪状を編製したパイル面を有するシート材とを、熱溶融性シート材を介し、該パイル面を露出させた状態で重ね合せて載置するとともに、上部プレス板及び下部プレス板の加熱及び加圧によってマット下面に前記シート材を溶着させ、前記マット下面にパイル領域を形成することを特徴としている。
【発明の効果】
【００１１】
本発明に係る請求項１に記載の固定片付きマット及び請求項２に記載の固定片付きマットの固定方法によれば、マットに形成したパイル領域と固定片とを係合及び剥離するだけでマットの設置及び取外しを容易にできるので、誰であっても迅速にマットの交換作業を行うことができる。また、マットの下面及び床面を接着剤で汚すこともなく、固定片がシート状で構成されるのでマットが浮き上がる等して美観を損なうこともない。
【００１２】
また、請求項３に記載のパイル領域を形成したマットの製造方法によれば、固定片の接着剤による貼付けに比べて、耐熱性及び耐水性において強度に優れた該マットの製造が可能であるとともに、市販されている使用中の玄関マット等に対しても後付けでパイル領域２を一体的に設けることができる。
【図面の簡単な説明】
【００１３】
【図１】本発明に係るマットを示す斜視図である。
【図２】本発明に係る固定片を示す斜視図及び断面図である。
【図３】該マット及び固定片の使用例を示す図である。
【図４】該マットにパイル領域を熱圧着する様子を示す図である。
【図５】パイル領域を後付けした該マットを示す断面図である。
【発明を実施するための形態】
【００１４】
以下、図面に基づいて本発明を具体的に説明する。まず、図１は、本発明に係るマット１を示す斜視図であり、図１（ａ）はその上面、図２（ｂ）はその下面を示している。該マット１の基本構造は、ゴムシート又は塩化ビニール等の合成樹脂シート上に繊維部分を固着した一般的に市販されている玄関マットと同様であって、本発明に係るマット１は、その下面に複数のフック状又は輪状を編製した合成樹脂糸製のパイル領域２を形成している。パイル領域２は、幅サイズが約４．０ｃｍ四方の正方形で、マット１下面の四隅に周端部から若干の幅を空けて形成している。該パイル領域２は、予め形成した合成樹脂製のパイル編みした布地をマット１下面のゴムシートに熱圧着してマット１と一体加工される。よって、マット１の交換時や洗浄時等にパイル領域２がマット１から剥離することはなく、優れた耐久性を有している。
【００１５】
図２は、固定片３を示す斜視図であって、図２（ａ）は、その上面、図２（ｂ）はその下面、図２（ｃ）はその断面図である。固定片３は、上記パイル領域２と同程度の幅サイズ、すなわち約４．０ｃｍ四方の正方形で、厚み約０．１〜０．２ｃｍのシート状に形成されている。なお、パイル領域２及び固定片３の幅サイズは、これに限られるものではなく、マット１の大きさに応じて変更すればよい。
【００１６】
図２（ａ）に示すように、固定片３の上面には、キノコ状の係合素子を垂直方向に複数突出させて固着した係合面３ａを形成する。該係合素子は、上記パイル領域２との係合の観点から可撓性に優れた合成樹脂で形成する。
【００１７】
一方、図２（ｂ）に示す固定片３の下面には、薄手のシート状に形成したゲル状粘着物を着設して粘着面３ｂを形成する。該ゲル状粘着物は、ウレタンゲル、シリコーンゲル、スチレン系ゲル又はオレフィン系ゲルからなり、一旦床面等に貼着しても再剥離が可能であり、埃などが吸着して汚れても水洗浄すれば再利用可能である。なお、図示はしないが、固定片３を使用しない際には、粘着層３ａ上を剥離シート等で被覆する。
【００１８】
この固定片３は、図２（ｃ）の断面図に示すように、厚み方向中央に布製の芯材３ｃが設けられており、該芯材３ｃ上にキノコ状の係合素子を多数固着して係合面３ａを形成するとともに、芯材３ｃのもう一方の面に薄手のゲル状粘着物を着設して形成する。なお、芯材３ｃは、織布、編物、不織布、紙、樹脂フィルム又は金属フィルム等で構成されてもよく、布製に限られるものではない。また、一方の面にキノコ状の係合素子を一体的に構成したシート状として芯材３ｃを形成してもよい。
【００１９】
このように形成したマット１及び固定片３の使用例について、図３を用いて説明する。
【００２０】
まず、マット１を床面４に設置する位置決めをし、マット１に形成した四隅のパイル領域２の位置に対応させて、床面４に固定片３の貼着面３ｂを貼り付けて床面４の四箇所に固定片３を固着する。この時、固定片３の係合面３ａは、上方を向いているので、固定片３の固着位置にパイル領域２が対応するようにマット１を床面４上に載置する。最後に、パイル領域２を係合面３ａの係合素子で係合し、マット１を床面４に固定する。
【００２１】
このような固定方法の他に、最初にマット１に形成したパイル領域２の四隅のうち一箇所にだけ対応した固定片３を床面４に貼着し、該対応する一つのパイル領域２を固定片３の係合面３ａに係合して固定することにより、マット１を仮留めし、その位置決めしてもよい。
【００２２】
また、マット１を取り外す際には、パイル領域２を固定片３の係合面３ａから剥離するか、或いは固定片３を床面４から剥離すればよく、誰でも容易にマット１を床面４から取り外すことができる。
【００２３】
以上のように、本発明の固定片３付きマット１によれば、四隅のパイル領域２という僅かな範囲を利用して堅固にマット１を固定することができ、マット１の設置及び取外しが容易であるために、誰であってもマット１の交換を迅速に行うことができる。また、床面４及びマット１の下面を接着剤で汚すこともなく、固定片３が薄片で構成されるのでマット１が浮き上がる等して美観を損なうこともない。
【００２４】
さらに、パイル領域２は、マット１下面のゴムシート又は塩化ビニール等の合成樹脂シートに熱圧着して一体加工されるので、マット１を洗浄しても剥離することはなく、固定片３も水洗浄すれば何度でも使用可能であるので、耐久性に優れ、コスト削減等に寄与することができる。
【００２５】
次に、マット１下面にパイル領域２を熱圧着する方法について説明する。図４は、熱プレス機（図示せず。）を用いて、マット１下面にパイル領域２を熱圧着する様子を示す図である。図４（ａ）に示すように、熱プレス機の上部プレス板５ａ及び下部プレス板５ｂの間に、下面のゴムシート側を上方に向けたマット１と、パイル領域２を形成するために複数のフック状又は輪状を編製したパイル面を有するシート材６とを、該シート材６を上側にして配置し、該マット１及びシート材６間には、マット１のゴムシート側にシート材６を溶着してパイル領域２を形成するための連結材として未加硫ゴム等の熱溶融性シート材７を挟み込んでおく。また、上部プレス板５ａ及びシート材６間、並びに下部プレス板５ｂ及びマット１間には、耐熱性シート材８を配する。
【００２６】
そして、下部プレス板５ｂ上に上記のマット１及びシート材６等を載置した後、図４（ｂ）に示すように、上部プレス板５ａ及び下部プレス板５ｂによって加熱及び加圧すると、例えば、熱溶融性シート材７として未加硫ゴムを使用した場合には、５分〜１０分間の加硫・架橋によってマット１のゴムシート面とシート材６とが溶着され、マット１に一体となったパイル領域２をマット１下面のゴムシート側に形成することができる。
【００２７】
このようにパイル領域２が溶着形成された図５に示すマット１は、固定片３の接着剤による貼付けに比べて、耐熱性及び耐水性において強度に優れ、また、市販されている使用中の玄関マット等に対しても後付けでパイル領域２を一体的に設けることができる。
【００２８】
上記実施例では、パイル領域２と固定片３を同じ幅サイズで構成したが、固定片３の幅サイズを若干広く構成してもよい。これにより、マット１と固定片３とを重ね合わせた際に、若干のズレがあっても支障なくパイル領域２と固定片３とを係合できるとともに、固定片３の周辺部がパイル領域２から余って、パイル領域２と固定片３とで山型の段差が形成されるので、マット１を床面４に載置した際に、パイル領域２が形成された部分のマット１表面が緩やかな隆起となり、パイル領域２と固定片３が同じ幅サイズである場合に比して該隆起がより目立たなくなる。ただ、固定片３は、上述の通り、０．１ｃｍ〜０．２ｃｍの厚みの薄片で構成されるので、いずれにせよパイル領域２及び固定片３による隆起が目立つことはない。
【００２９】
また、上記実施例では、パイル領域２をマット１下面の四隅に形成したが、該パイル領域２をマット１下面の四辺中央近傍やマット１下面の中央近傍に形成してもよい。また、パイル領域２及び固定片３の形状は、上述した正方形に限定されるものではなく、円形、多角形、その他星型などの様々な形状であってもよい。
【産業上の利用可能性】
【００３０】
本発明の固定片３付きマット１は、上記説明したような玄関マット等に限られるものではなく、下面がゴムシート又は塩化ビニール等の合成樹脂シートで形成された敷物であれば何でも利用可能である。
【符号の説明】
【００３１】
１    マット
２    パイル領域
３    固定片
３ａ  係合面
３ｂ  粘着面
３ｃ  芯材
４    床面
５ａ  上部プレス板
５ｂ  下部プレス板
６    シート材
７    熱溶融性シート材
８    耐熱性シート材
【図１】
2011101786.tif 000003
【図２】
2011101786.tif 000004
【図３】
2011101786.tif 000005
【図４】
2011101786.tif 000006
【図５】
2011101786.tif 000007